(57)【要約】【課題】文字入力を要することなく、所望の情報を書籍のページをめくるのと同様の感覚で容易に見つけ出して調べることが可能になる電子機器を提供する。【解決手段】辞書が選択されると、スクロールパッド17の上下端部間に前記選択された辞書の先頭の見出し語から最終の見出し語までの見出し語範囲が対応付けられて初期設定される。スクロールパッド17の2点t1,t2がタッチされると、該パッド17の全長に対する2点のタッチ位置t1,t2に応じた先頭見出し語Msから最終見出し語Meの範囲が算出されて表示ガイドされると共に、同パッド上下端間に対応付けられる見出し語範囲が更新されて設定され、設定された見出し語範囲の先頭見出し語から表示可能な語数の見出し語一覧Lmが表示される。見出し語一覧Lmに表示中の所望の見出し語が反転カーソルCuにより選択されると、選択された見出し語の説明情報が前記選択された辞書から読み出されて表示される。【選択図】      図６
2013161171.tif 000002
【特許請求の範囲】
【請求項１】
複数の項目とその内容を対応付けたデータを記憶するデータ記憶手段と、
予め設定された範囲でユーザにより接触された位置を検出する接触位置検出手段と、
この接触位置検出手段により接触位置が検出される範囲に対応付けて、前記データ記憶手段に記憶されたデータの表示対象となる項目の範囲を記憶する項目範囲記憶手段と、
この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段と、
前記項目範囲記憶手段により記憶された前記データの表示対象となる項目の範囲に応じて当該項目の一覧を表示部に表示させる項目一覧表示手段と、
この項目一覧表示手段により一覧表示された項目の中から選択された項目の内容を前記データ記憶手段により記憶されたデータから読み出して表示部に表示させる項目内容表示手段と、
を備えたことを特徴とする電子機器。
【請求項２】
前記表示範囲更新手段は、前記接触位置検出手段によりユーザの２点の接触位置が検出された場合に、前記項目範囲記憶手段により記憶されている前記データの表示対象となる元の項目の範囲を、前記予め設定された範囲に対する前記２点の接触位置とその間隔に応じた新たな項目の範囲に更新する、
ことを特徴とする請求項１に記載の電子機器。
【請求項３】
前記表示範囲更新手段により更新された新たな項目の範囲を前記表示部に表示させる更新範囲ガイド手段を備えたことを特徴とする請求項２に記載の電子機器。
【請求項４】
前記項目一覧表示手段は、前記接触位置検出手段によりユーザの１点の接触位置が検出された場合に、前記項目範囲記憶手段により記憶された前記データの表示対象となる項目の範囲のうち、前記予め設定された範囲に対する前記１点の接触位置に対応した項目以降の項目の一覧を表示部に表示させる１点以降項目一覧表示手段を有する、
ことを特徴とする請求項３に記載の電子機器。
【請求項５】
前記接触位置検出手段は、表示部の一辺に沿って設けられたスクロールパッドであることを特徴とする請求項１ないし請求項４の何れか１項に記載の電子機器。
【請求項６】
表示部と、接触位置検出部とを有する電子機器のコンピュータを制御するためのプログラムであって、
前記コンピュータを、
複数の項目とその内容を対応付けたデータをメモリに記憶させるデータ記憶手段、
前記接触位置検出手段により接触位置を検出する範囲に対応付けて、前記データ記憶手段により記憶されたデータの表示対象となる項目の範囲をメモリに記憶させる項目範囲記憶手段、
この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段、
前記項目範囲記憶手段により記憶された前記データの表示対象となる項目の範囲に応じて当該項目の一覧を前記表示部に表示させる項目一覧表示手段、
この項目一覧表示手段により一覧表示された項目の中から選択された項目の内容を前記データ記憶手段により記憶されたデータから読み出して前記表示部に表示させる項目内容表示手段、
として機能させるためのプログラム。
【発明の詳細な説明】
【技術分野】
【０００１】
本発明は、メモリに記憶された複数の項目とその内容を対応付けたデータから任意の項目を検索してその内容を調べるための電子機器およびその制御プログラムに関する。
【背景技術】
【０００２】
従来の電子辞書装置において、辞書の見出し語を一覧表示させた際の表示内容の移動手段としては、カーソルキーの操作に応じた行単位のスクロール表示やページ送りキーの操作に応じたページ単位のスクロール表示がある。
【０００３】
このスクロール表示による移動手段では、現在一覧表示されている各見出し語に近い位置の見出し語に移動するには便利であるが、やや離れた位置の見出し語に移動するには、連続したスクロール表示を要するばかりか、スクロール表示されている見出し語を追い掛けながら確認する必要があり、操作性が悪く不向きである。
【０００４】
小型の電子機器において、表示画面の縦辺と横辺とにそれぞれ沿ったスライドバーを設け、このスライドバーをタッチしてスライドさせることで、当該スライドに応じた方向に表示内容を送るように制御する電子機器が考えられている（例えば、特許文献１参照。）。
【０００５】
これによれば、書籍のページをぺらぺらとめくって見る感覚をユーザに持たせることができる。
【先行技術文献】
【特許文献】
【０００６】
【特許文献１】特開２００３−２９６０１５号公報
【発明の概要】
【発明が解決しようとする課題】
【０００７】
従来のスライドバーを設けた電子機器では、当該スライドバーのタッチ操作に応じて表示内容を送ることで、書籍のページをめくって見ながら所望の内容を探し出す感覚をユーザに持たせることはできる。しかしながら、辞書の見出し語のように膨大な数の見出し語を基にその一覧を表示させるような場合、スライドバーのちょっとしたタッチ操作でも、それにより送られる見出し語の位置の変化が大き過ぎてしまい、非常に見辛く所望の見出し語を見つけ難い問題がある。
【０００８】
本発明は、このような課題に鑑みてなされたもので、文字入力を要することなく、所望の情報を書籍のページをめくるのと同様の感覚で容易に見つけ出して調べることが可能になる電子機器およびその制御プログラムを提供することを目的とする。
【課題を解決するための手段】
【０００９】
本発明に係る電子機器は、複数の項目とその内容を対応付けたデータを記憶するデータ記憶手段と、予め設定された範囲でユーザにより接触された位置を検出する接触位置検出手段と、この接触位置検出手段により接触位置が検出される範囲に対応付けて、前記データ記憶手段に記憶されたデータの表示対象となる項目の範囲を記憶する項目範囲記憶手段と、この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段と、前記項目範囲記憶手段により記憶された前記データの表示対象となる項目の範囲に応じて当該項目の一覧を表示部に表示させる項目一覧表示手段と、この項目一覧表示手段により一覧表示された項目の中から選択された項目の内容を前記データ記憶手段により記憶されたデータから読み出して表示部に表示させる項目内容表示手段と、を備えたことを特徴としている。
【００１０】
本発明に係るプログラムは、表示部と、接触位置検出部とを有する電子機器のコンピュータを制御するためのプログラムであって、前記コンピュータを、複数の項目とその内容を対応付けたデータをメモリに記憶させるデータ記憶手段、前記接触位置検出手段により接触位置を検出する範囲に対応付けて、前記データ記憶手段により記憶されたデータの表示対象となる項目の範囲をメモリに記憶させる項目範囲記憶手段、この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段、前記項目範囲記憶手段により記憶された前記データの表示対象となる項目の範囲に応じて当該項目の一覧を前記表示部に表示させる項目一覧表示手段、この項目一覧表示手段により一覧表示された項目の中から選択された項目の内容を前記データ記憶手段により記憶されたデータから読み出して前記表示部に表示させる項目内容表示手段、として機能させることを特徴としている。
【発明の効果】
【００１１】
本発明によれば、文字入力を要することなく、所望の情報を書籍のページをめくるのと同様の感覚で容易に見つけ出して調べることが可能になる電子機器およびその制御プログラムを提供できる。
【図面の簡単な説明】
【００１２】
【図１】本発明の電子機器の実施形態に係る電子辞書装置１０の外観構成を示す正面図。
【図２】前記電子辞書装置１０の電子回路の構成を示すブロック図。
【図３】前記電子辞書装置１０の全体処理を示すフローチャート。
【図４】前記電子辞書装置１０の全体処理に含まれるスクロールパッド処理を示すフローチャート。
【図５】前記電子辞書装置１０のスクロールパッド処理に応じた表示動作（その１）を示す図。
【図６】前記電子辞書装置１０のスクロールパッド処理に応じた表示動作（その２）を示す図。
【図７】前記電子辞書装置１０のスクロールパッド処理における２点タッチ操作（ｔ１，ｔ２）の繰り返しに伴いスクロールパッド１７に順次更新設定される見出し語範囲の絞りこみ動作を示す図。
【発明を実施するための形態】
【００１３】
以下図面により本発明の実施の形態について説明する。
【００１４】
図１は、本発明の電子機器の実施形態に係る電子辞書装置１０の外観構成を示す正面図である。
【００１５】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［訳／決定］キー１４ｃ、［戻る］キー１４ｄ、カーソルキー１４ｅなどを備えたキー入力部１４、およびタッチパネル式サブ表示部１５が備えられる。
【００１７】
このタッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域や各種機能のキー入力領域、あるいは当該各入力領域が混在する領域に切り替えられる。
【００１８】
そして、前記サブ表示部１５が手書き文字入力領域に切り替えられた状態での手書き入力に伴う軌跡はそのバックライト付きカラー液晶表示画面１５ｄにエコーバックして表示される。
【００１９】
また蓋体ケース１２の表面には、そのほぼ全面を対象に例えば４８０×３２０ドットのバックライト付きのタッチパネル式メイン表示部１６、および当該メイン表示部１６の右端に沿った縦長のスクロールパッド１７が設けられる。
【００２０】
前記タッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２１】
また、前記スクロールパッド１７は、メイン表示部１６の縦の長さに応じたタッチ位置検出装置からなる。
【００２２】
そして、この電子辞書装置１０は、前記スクロールパッド１７のユーザ操作に応じて実行する機能として、見出し語一覧Ｌｍや選択された見出し語の説明情報表示画面を対象としその表示内容をスクロールする機能以外に、スクロールパッド１７の２点ｔ１，ｔ２がタッチされた場合に、当該パッド上下端間での２点タッチ位置の範囲（ｔ１−ｔ２）に応じて同パッド上下端間に現在選択中の辞書の見出し語の範囲を新たに設定する見出し語範囲設定機能、スクロールパッド１７の１点ｔ１がタッチされた場合に、当該パッド上下端間でのタッチ位置（ｔ１）に応じた見出し語を選択する見出し語選択機能を有する。
【００２３】
例えば、図１における見出し語検索画面Ｇでは、スクロールパッド１７の上下端間に［国語辞典］の先頭の見出し語「あ」から最終の見出し語「んぼう［ん坊］」までが見出し語範囲として初期設定された後、当該スクロールパッド１７の２点ｔ１，ｔ２をタッチすることで、この２点タッチ位置（ｔ１，ｔ２）に応じた先頭見出し語「なに［何］」Ｍｓと最終見出し語「めずらし［珍…］」Ｍｅとが新たな見出し語範囲としてガイド表示された状態を示している。
【００２４】
図２は、前記電子辞書装置１０の電子回路の構成を示すブロック図である。
【００２５】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２６】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２７】
前記記憶装置２２に記憶された装置制御プログラム２２ａは、キー入力部１４、タッチパネル式サブ表示部１５、タッチパネル式メイン表示部１６、スクロールパッド１７からのユーザ操作に応じた入力信号、あるいは通信部２５を介して接続されるインターネットＮ上の各Ｗｅｂサーバ３０…との通信信号に応じて起動される。
【００２８】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６、スクロールパッド１７が接続される。
【００２９】
記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語の一覧表示処理、選択された見出し語に対応する訳語・意味内容などの各種説明情報の読み出し表示処理、スクロールパッド１７のユーザ操作に応じた見出し語範囲設定処理や見出し語選択処理など、同記憶装置２２内に記憶された各種のデータベースに基づく検索・表示処理全般を制御するための辞書検索プログラムが記憶される。
【００３０】
記憶装置２２には、前記装置制御プログラム２２ａの他に、コンテンツデータベース２２ｂが記憶される。
【００３１】
このコンテンツデータベース２２ｂには、例えば日本語の見出し語に対応付けて日本語の説明情報が記述された［国語辞典］、英語の見出し語に対応付けて日本語の説明情報が記述された［英和辞典］、日本語の見出し語に対応付けて英語の説明情報が記述された［和英辞典］をはじめ、複数種類の辞書データが予め記憶されるかあるいはダウンロードされて記憶される。
【００３２】
前記ＲＡＭ２６には、メイン画面データメモリ２６ａ、サブ画面データメモリ２６ｂ、タッチ位置データメモリ２６ｃ、見出し語範囲データメモリ２６ｄなどが確保される。
【００３３】
メイン画面データメモリ２６ａには、前記タッチパネル式メイン表示部１６に表示させる表示データがビットマップパターンに展開されて記憶される。
【００３４】
サブ画面データメモリ２６ｂには、前記タッチパネル式サブ表示部１５に表示させる表示データがビットマップパターンに展開されて記憶される。
【００３５】
タッチ位置データメモリ２６ｃには、ユーザ操作に応じてスクロールパッド１７がタッチされた際に、当該スクロールパッド１７により検出されたパッド上下端間のタッチ位置ｔ１，ｔ２が記憶される。
【００３６】
見出し語範囲データメモリ２６ｄには、ユーザ任意に選択された辞書について、スクロールパッド１７の上下端間に対応付けられて設定される当該辞書の見出し語の範囲（先頭見出し語Ｍｓ〜最終見出し語Ｍｅ）が記憶される。
【００３７】
このように構成された電子辞書装置１０は、ＣＰＵ２１が前記装置制御プログラム２２ａ（検索語入力処理、見出し語検索処理、見出し語一覧表示処理、選択見出し語の説明情報表示処理、スクロールパッド１７のユーザ操作に応じた見出し語範囲設定処理や見出し語選択処理等を実行するためのプログラムを含む）に記述された命令に従い回路各部の動作を制御し、ソフトウエアとハードウエアとが協働して動作することにより、以下の動作説明で述べる機能を実現する。
【００３８】
次に、前記構成による電子辞書装置１０の動作について説明する。
【００３９】
図３は、前記電子辞書装置１０の全体処理を示すフローチャートである。
【００４０】
図４は、前記電子辞書装置１０の全体処理に含まれるスクロールパッド処理を示すフローチャートである。
【００４１】
図５は、前記電子辞書装置１０のスクロールパッド処理に応じた表示動作（その１）を示す図である。
【００４２】
図６は、前記電子辞書装置１０のスクロールパッド処理に応じた表示動作（その２）を示す図である。
【００４３】
辞書指定キー１４ｂによりユーザ任意の辞書（例えば［国語辞典］）が選択されると（ステップＳ１（Ｙｅｓ））、図５（Ａ）に示すように、選択された辞書［国語辞典］の検索語入力画面ＧＥｋがメイン表示部１６に表示される（ステップＳ２）。
【００４４】
すると、スクロールパッド１７の上下端間に対応付けられる見出し語の範囲として、当該選択された辞書［国語辞典］の先頭の見出し語「あ」から最終の見出し語「んぼう［ん坊］」が初期設定され、見出し語範囲データメモリ２６ｄに記憶される（ステップＳ３）。
【００４５】
この検索語入力画面ＧＥｋにおいて、文字入力キー１４ａの操作に応じてユーザ任意の検索語が入力されると（ステップＳ４（Ｙｅｓ））、入力された検索語と前方一致する見出し語が前記辞書［国語辞典］から検索され、見出し語検索画面Ｇの見出し語一覧Ｌｍに表示されると共に、当該見出し語一覧Ｌｍにて反転カーソルＣｕにより選択された見出し語の説明情報がプレビューエリアＰｖに表示される（ステップＳ５）。
【００４６】
一方、例えば前記検索語入力画面ＧＥｋや見出し語検索画面Ｇにおいて、スクロールパッド１７がタッチ操作されると（ステップＳ６（Ｙｅｓ））、図４におけるスクロールパッド処理へ移行される（ステップＳＡ）。
【００４７】
前記選択された辞書［国語辞典］の初期画面である検索語入力画面ＧＥｋ（図５（Ａ）参照）において、図５（Ｂ）に示すように、スクロールパッド１７の上端部と下端部との２点ｔ１，ｔ２がタッチされると（ステップＡ１（Ｙｅｓ））、当該２点のタッチ位置（ｔ１，ｔ２）が取得されてタッチ位置データメモリ２６ｃに記憶される（ステップＡ２）。
【００４８】
すると、このタッチ位置データメモリ２６ｃに記憶された前記スクロールパッド１７の２点のタッチ位置ｔ１（パッド上端部），ｔ２（パッド下端部）に応じた見出し語範囲が、現在の見出し語範囲データメモリ２６ｄに記憶されている見出し語範囲（初期設定された先頭見出し語「あ」〜最終見出し語「んぼう［ん坊］」）に基づき算出され（ステップＡ３）、各タッチ位置ｔ１，ｔ２に対応した検索語入力画面ＧＥｋの上端と下端とに、その先頭見出し語「あ」Ｍｓと最終見出し語「んぼう［ん坊］」Ｍｅとが表示されてガイドされる（ステップＡ４）。
【００４９】
ここで、前記スクロールパッド１７に対する２点ｔ１，ｔ２のタッチの何れかが離れると（ステップＡ５（Ｙｅｓ））、前記見出し語範囲データメモリ２６ｄに記憶されている見出し語範囲（初期設定された先頭見出し語「あ」〜最終見出し語「んぼう［ん坊］」）が、当該２点のタッチ位置ｔ１（パッド上端部），ｔ２（パッド下端部）に応じて算出されて表示ガイドされた見出し語範囲（この場合は２点タッチ位置ｔ１，ｔ２が上下端部の最大範囲のため設定中の見出し語範囲は変化しない）に更新される（ステップＡ６）。
【００５０】
そして、図５（Ｃ）に示すように、前記更新設定された見出し語範囲（先頭見出し語「あ」〜最終見出し語「んぼう［ん坊］」）の先頭見出し語「あ」から表示可能な語数の見出し語一覧Ｌｍが表示されると共に、当該先頭の見出し語「あ」が反転カーソルＣｕにより選択され、これに対応した検索語入力エリアＥｋと説明情報のプレビューエリアＰｖとを組み合わせた見出し語検索画面Ｇが表示される（ステップＡ７）。
【００５１】
この後、例えば図５（Ｄ）に示すように、スクロールパッド１７の下端部近くの１点ｔ１がタッチされると（ステップＡ８（Ｙｅｓ））、当該１点のタッチ位置ｔ１が取得されてタッチ位置データメモリ２６ｃに記憶される（ステップＡ９）。
【００５２】
すると、前記見出し語範囲データメモリ２６ｄに記憶設定されている見出し語範囲（先頭見出し語「あ」〜最終見出し語「んぼう［ん坊］」）に基づき、前記タッチ位置データメモリ２６ｃに記憶された１点のタッチ位置ｔ１に対応したところの見出し語の位置が算出される（ステップＡ１０）。
【００５３】
そして、前記算出された見出し語の位置に該当する見出し語「んす」以降の見出し語一覧Ｌｍが表示されると共に、当該見出し語「んす」が反転カーソルＣｕにより選択され、これに対応した検索語入力エリアＥｋと説明情報のプレビューエリアＰｖとを組み合わせた見出し語検索画面Ｇが表示される（ステップＡ１１）。
【００５４】
この後、前記スクロールパッド１７に対する１点のタッチ位置ｔ１が移動されると、前記同様に移動先の位置ｔ１に対応した見出し語の位置が算出され（ステップＡ１２（Ｎｏ）→Ａ９，Ａ１０）、当該算出された見出し語の位置に該当する見出し語以降の見出し語一覧Ｌｍが表示されると共に、該当する見出し語が反転カーソルＣｕにより選択され、これに対応した検索語入力エリアＥｋと説明情報のプレビューエリアＰｖとを組み合わせた見出し語検索画面Ｇが表示される（ステップＡ１１）。
【００５５】
すなわち、スクロールパッド１７の任意の１点ｔ１をタッチ操作することで、当該スクロールパッド１７の上下端間に対応付けられて設定されている見出し語範囲内の１つの見出し語を反転カーソルＣｕにより選択表示させることができる。しかしながら、前記図５（Ａ）〜（Ｃ）で示したように、初期設定されたままの見出し語範囲（先頭見出し語「あ」〜最終見出し語「んぼう［ん坊］」）では、前記スクロールパッド１７に対する１点のタッチ位置ｔ１の移動に伴い見出し語一覧Ｌｍに順次更新されて表示される各見出し語の移動が大き過ぎ、所望の見出し語の付近に容易に辿り着くことができない。
【００５６】
そこで、例えば前記図５（Ａ）〜（Ｃ）で示したように、初期設定された見出し語範囲（先頭見出し語「あ」〜最終見出し語「んぼう［ん坊］」）に応じた見出し語検索画面Ｇにおいて、５０音の「な」で始まる見出し語を調べたい場合に、図６（Ａ）に示すように、スクロールパッド１７の中央よりやや下を１点目ｔ１、そのやや下を２点目ｔ２としてタッチされると（ステップＡ１（Ｙｅｓ））、当該２点のタッチ位置ｔ１，ｔ２が取得されてタッチ位置データメモリ２６ｃに記憶される（ステップＡ２）。
【００５７】
すると、このタッチ位置データメモリ２６ｃに記憶された前記スクロールパッド１７の２点のタッチ位置ｔ１（パッド中央やや下），ｔ２（ｔ１よりさらに下）に応じた見出し語範囲が、現在の見出し語範囲データメモリ２６ｄに記憶されている見出し語範囲（初期設定された先頭見出し語「あ」〜最終見出し語「んぼう［ん坊］」）に基づき算出され（ステップＡ３）、各タッチ位置ｔ１，ｔ２に対応した見出し語検索画面Ｇの上端と下端とに、その先頭見出し語「なに［何］」Ｍｓと最終見出し語「めずらか［珍…］」Ｍｅとが表示されてガイドされる（ステップＡ４）。
【００５８】
ここで、前記スクロールパッド１７に対する２点タッチ位置ｔ１，ｔ２が、さらにその間隔を狭くしたり（ピンチイン）または広げたり（ピンチアウト）して移動されると、前記同様に移動先の位置ｔ１，ｔ２に対応して縮小または拡大された見出し語範囲が再算出され（ステップＡ５（Ｎｏ）→Ａ２，Ａ３）、当該再算出された新たな見出し語範囲の先頭見出し語Ｍｓと最終見出し語Ｍｅとが表示されガイドされる（ステップＡ４）。
【００５９】
そして、前記図６（Ａ）で示した先頭見出し語「なに［何］」Ｍｓと最終見出し語「めずらか［珍…］」Ｍｅとが表示ガイドされた状態で、前記スクロールパッド１７に対するタッチ操作が離れると（ステップＡ５（Ｙｅｓ））、前記見出し語範囲データメモリ２６ｄに記憶されている見出し語範囲（初期設定された先頭見出し語「あ」〜最終見出し語「んぼう［ん坊］」）が当該２点のタッチ位置ｔ１（パッド中央やや下），ｔ２（ｔ１よりさらに下）に応じて算出され表示ガイドされた見出し語範囲（先頭見出し語「なに［何］」〜最終見出し語「めずらか［珍…］」）に更新される（ステップＡ６）。
【００６０】
すると、図６（Ｂ）に示すように、前記更新設定された見出し語範囲（先頭見出し語「なに［何］」〜最終見出し語「めずらか［珍…］」）の先頭見出し語「なに［何］」から表示可能な語数の見出し語一覧Ｌｍが表示されると共に、当該先頭の見出し語「なに［何］」が反転カーソルＣｕにより選択され、これに対応した検索語入力エリアＥｋと説明情報のプレビューエリアＰｖとを組み合わせた見出し語検索画面Ｇが表示される（ステップＡ７）。
【００６１】
このように、スクロールパッド１７に現在設定されている見出し語範囲（例えば初期設定された先頭見出し語「あ」〜最終見出し語「んぼう［ん坊］」）を対象に、ユーザが調べたい見出し語の位置を含むような２点ｔ１，ｔ２をタッチ操作すると、当該２点タッチ位置ｔ１〜ｔ２間に対応する見出し語範囲（先頭見出し語「なに［何］」〜最終見出し語「めずらか［珍…］」）が前記スクロールパッド１７の新たな見出し語範囲として設定される。このため、前記スクロールパッド１７の１点ｔ１をタッチして所望の見出し語を指定する範囲を適切且つ大幅に絞ることができる。
【００６２】
図７は、前記電子辞書装置１０のスクロールパッド処理における２点タッチ操作（ｔ１，ｔ２）の繰り返しに伴いスクロールパッド１７に順次更新設定される見出し語範囲の絞り込み動作を示す図である。
【００６３】
すなわち、例えば集録語数20,000語の［国語辞典］の選択に伴うスクロールパッド１７の上端部と下端部との間の見出し語範囲として、図７（Ａ）に示すように、当該［国語辞典］の先頭の見出し語「あ」Ｍｓから最終の見出し語「んぼう［ん坊］」Ｍｅ（20,000語）が対応付けられて初期設定された状態で（ステップＳ１〜Ｓ３）、スクロールパッド１７に対し、当該パッド全長Ｌの１０分の１に相当する間隔Ｌ／１０で、例えばパッド中央付近の２点ｔ１，ｔ２がタッチ操作されると、同スクロールパッド１７に対応付けられる見出し語範囲は、図７（Ｂ）に示すように、前記初期設定された20,000語の１０分の１となる先頭見出し語「なに」Ｍｓから最終見出し語「めずらか」Ｍｅの範囲の2,000語に絞られて更新され（ステップＡ１〜Ａ７）、さらに同１０分の１に相当する間隔Ｌ／１０の２点ｔ１，ｔ２がタッチ操作されると、同スクロールパッド１７に対応付けられる見出し語範囲は、図７（Ｃ）に示すように、前回設定された2,000語の１０分の１となる先頭見出し語「はいく」Ｍｓから最終見出し語「はらん」Ｍｅの範囲の200語に絞られて更新される（ステップＡ１〜Ａ７）。
【００６４】
従って、このようにスクロールパッド１７の２点タッチ操作によって当該スクロールパッド１７に対応する見出し語範囲を簡単且つ適切に絞り込むのと共に、当該絞り込まれた見出し語範囲内でのスクロールパッド１７の１点タッチ操作によって見出し語一覧Ｌｍを更新表示させて行く過程において、この見出し語一覧Ｌｍに表示された所望の見出し語を反転カーソルＣｕにより選択し［訳／決定］キー１４ｃを操作すると、当該選択された見出し語の説明情報が前記［国語辞典］から読み出され、メイン表示部１６の全画面に展開されて表示される（ステップＳ４，Ｓ５）。
【００６５】
したがって、前記構成の電子辞書装置１０によるスクロールパッド１７のユーザ操作に応じた情報検索機能によれば、検索対象の辞書が選択されると、スクロールパッド１７の上端部と下端部との間に前記選択された辞書の先頭の見出し語から最終の見出し語までの見出し語範囲が対応付けられて初期設定される。そして、スクロールパッド１７の２点ｔ１，ｔ２がタッチされると、当該スクロールパッド１７の全長Ｌに対する２点のタッチ位置ｔ１，ｔ２に応じた先頭見出し語Ｍｓから最終見出し語Ｍｅの範囲が算出されて表示ガイドされると共に、同パッド上下端間に対応付けられる見出し語範囲が更新されて設定され、設定された見出し語範囲の先頭見出し語から表示可能な語数の見出し語一覧Ｌｍが表示される。
【００６６】
また、スクロールパッド１７の１点ｔ１がタッチされると、当該スクロールパッド１７に設定された前記見出し語範囲に対する１点のタッチ位置ｔ１に応じた見出し語の位置が算出され、当該見出し語から表示可能な語数の見出し語一覧Ｌｍが表示される。
【００６７】
そして、前記見出し語一覧Ｌｍに一覧表示された中の所望の見出し語が反転カーソルＣｕにより選択されると、選択された見出し語の説明情報が前記選択された辞書から読み出され見出し語検索画面ＧのプレビューエリアＰｖあるいはメイン表示部１６の全画面に表示される。
【００６８】
よって、集録語数が膨大な辞書を検索対象の辞書として選択した場合でも、スクロールパッド１７の２点タッチ操作によって所望の見出し語が存在する見出し語範囲まで簡単且つ一気に絞り込み、当該所望の見出し語を選択して調べることができる。このため、文字入力を要することなく、所望の辞書情報を書籍のページをめくるのと同様の感覚で容易に見つけ出して調べることが可能になる。
【００６９】
なお、前記実施形態では、辞書検索の対象とするデータベースを［国語辞典］［英和辞典］等の言語辞書とした具体例について説明したが、条文番号が見出しとなっている法律書籍は勿論、ページそのものを見出しとし、あらゆる種類の書籍のデータベースを対象に、前記同様のスクロールパッド１７のユーザ操作に応じた情報検索機能を実現できる。
【００７０】
また、前記実施形態において、スクロールパッド１７は、タッチパネル式メイン表示部１６とは独立して構成されるが、本電子辞書装置１０が例えばタブレット型端末によって実施される場合には、１つのタッチパネル式表示部の領域を分割した一部の領域をスクロールパッドとして機能させる構成としてもよい。
【００７１】
前記実施形態において記載した電子辞書装置１０による各処理の手法およびデータベース、すなわち、図３のフローチャートに示す全体処理、図４のフローチャートに示すスクロールパッド処理などの各手法およびコンテンツＤＢ２２ｂ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、表示部（１５，１６）および接触位置検出部（１７）を備えた電子機器のコンピュータは、この外部記録媒体２３に記録されたプログラムを記憶装置２２に読み込み、この読み込んだプログラムによって動作が制御されることにより、前記実施形態において説明したユーザタッチ位置に応じたデータベースの検索機能を実現し、前述した手法による同様の処理を実行することができる。
【００７２】
また、前記各手法を実現するためのプログラムのデータは、プログラムコードの形態としてネットワークＮ上を伝送させることができ、このプログラムデータを、表示部（１５，１６）および接触位置検出部（１７）を備えた電子機器のコンピュータに通信部２５によって取り込むことで、前述したユーザタッチ位置に応じたデータベースの検索機能を実現することもできる。
【００７３】
なお、本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７４】
以下に、本願出願の当初の特許請求の範囲に記載された発明を付記する。
【００７５】
［１］
複数の項目とその内容を対応付けたデータを記憶するデータ記憶手段と、
予め設定された範囲でユーザにより接触された位置を検出する接触位置検出手段と、
この接触位置検出手段により接触位置が検出される範囲に対応付けて、前記データ記憶手段に記憶されたデータの表示対象となる項目の範囲を記憶する項目範囲記憶手段と、
この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段と、
前記項目範囲記憶手段により記憶された前記データの表示対象となる項目の範囲に応じて当該項目の一覧を表示部に表示させる項目一覧表示手段と、
この項目一覧表示手段により一覧表示された項目の中から選択された項目の内容を前記データ記憶手段により記憶されたデータから読み出して表示部に表示させる項目内容表示手段と、
を備えたことを特徴とする電子機器。
【００７６】
［２］
前記表示範囲更新手段は、前記接触位置検出手段によりユーザの２点の接触位置が検出された場合に、前記項目範囲記憶手段により記憶されている前記データの表示対象となる元の項目の範囲を、前記予め設定された範囲に対する前記２点の接触位置とその間隔に応じた新たな項目の範囲に更新する、
ことを特徴とする［１］に記載の電子機器。
【００７７】
［３］
前記表示範囲更新手段により更新された新たな項目の範囲を前記表示部に表示させる更新範囲ガイド手段を備えたことを特徴とする［２］に記載の電子機器。
【００７８】
［４］
前記項目一覧表示手段は、前記接触位置検出手段によりユーザの１点の接触位置が検出された場合に、前記項目範囲記憶手段により記憶された前記データの表示対象となる項目の範囲のうち、前記予め設定された範囲に対する前記１点の接触位置に対応した項目以降の項目の一覧を表示部に表示させる１点以降項目一覧表示手段を有する、
ことを特徴とする［３］に記載の電子機器。
【００７９】
［５］
前記接触位置検出手段は、表示部の一辺に沿って設けられたスクロールパッドであることを特徴とする［１］ないし［４］の何れかに記載の電子機器。
【００８０】
［６］
表示部と、接触位置検出部とを有する電子機器のコンピュータを制御するためのプログラムであって、
前記コンピュータを、
複数の項目とその内容を対応付けたデータをメモリに記憶させるデータ記憶手段、
前記接触位置検出手段により接触位置を検出する範囲に対応付けて、前記データ記憶手段により記憶されたデータの表示対象となる項目の範囲をメモリに記憶させる項目範囲記憶手段、
この項目範囲記憶手段により記憶された前記データの表示対象となる項目の範囲を、前記接触位置検出手段により検出されたユーザの接触位置に基づいて、新たに表示対象となる項目の範囲に更新する表示範囲更新手段、
前記項目範囲記憶手段により記憶された前記データの表示対象となる項目の範囲に応じて当該項目の一覧を前記表示部に表示させる項目一覧表示手段、
この項目一覧表示手段により一覧表示された項目の中から選択された項目の内容を前記データ記憶手段により記憶されたデータから読み出して前記表示部に表示させる項目内容表示手段、
として機能させるためのプログラム。
【符号の説明】
【００８１】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…［訳／決定］キー
１４ｄ…［戻る］キー
１４ｅ…カーソルキー
１５  …タッチパネル式サブ表示部
１５ｄ…カラー液晶表示部（バックライト付き）
１５ｔ…透明タッチパネル
１６  …タッチパネル式メイン表示部
１６ｄ…カラー液晶表示部（バックライト付き）
１６ｔ…透明タッチパネル
１７  …スクロールパッド
２１  …ＣＰＵ
２２  …記憶装置
２２ａ…装置制御プログラム
２２ｂ…コンテンツデータベース
２３  …外部記録媒体
２４  …記録媒体読み取り部
２５  …通信部
２６  …ＲＡＭ
２６ａ…メイン画面データメモリ
２６ｂ…サブ画面データメモリ
２６ｃ…タッチ位置データメモリ
２６ｄ…見出し語範囲データメモリ
３０  …Ｗｅｂサーバ
Ｎ    …通信ネットワーク
ＧＥｋ…検索語入力画面
Ｇ    …見出し語検索画面
ｔ１，ｔ２…タッチ位置
Ｅｋ  …検索語入力エリア
Ｌｍ  …見出し語一覧
Ｃｕ  …反転カーソル
Ｐｖ  …プレビューエリア
Ｍｓ  …先頭見出し語
Ｍｅ  …最終見出し語
【図１】
2013161171.tif 000003
【図２】
2013161171.tif 000004
【図３】
2013161171.tif 000005
【図４】
2013161171.tif 000006
【図５】
2013161171.tif 000007
【図６】
2013161171.tif 000008
【図７】
2013161171.tif 000009